(57)【特許請求の範囲】
【請求項１】
隠蔽情報を記録した情報記録媒体と、
前記情報記録媒体上の少なくとも前記隠蔽情報を覆うように接着され、前記隠蔽情報上の領域が透明又は半透明のフィルムと、
前記フィルム上の少なくとも前記隠蔽情報を覆う領域に設けられ、下地の隠蔽性を有するとともにスクラッチ可能なスクラッチ層とを備え、
前記フィルムは、脆性材料又は延性材料からなり、前記情報記録媒体との剥離力より弱い力で破断又は塑性変形する強度を有すること、
を特徴とするスクラッチ層を有する情報記録媒体。
【請求項２】
隠蔽情報を記録した情報記録媒体と、
下地の隠蔽性を有するともにスクラッチ可能なスクラッチ層が透明又は半透明の領域上に設けられたフィルムとを備え、
前記スクラッチ層が前記隠蔽情報を覆うように前記フィルムが前記情報記録媒体上に接着されていること、
前記フィルムは、脆性材料又は延性材料からなり、前記情報記録媒体との剥離力より弱い力で破断又は塑性変形する強度を有すること、
を特徴とするスクラッチ層を有する情報記録媒体。
【請求項３】
請求項１又は請求項２に記載のスクラッチ層を有する情報記録媒体において、
前記情報記録媒体の前記フィルムの接着面と反対側の面には、そのスクラッチ層を有する情報記録媒体に関する属性情報が記録される磁性層が設けられていること
を特徴とするスクラッチ層を有する情報記録媒体。
【請求項４】
情報記録媒体に記録された隠蔽情報を、スクラッチ可能なスクラッチ層により隠蔽したスクラッチ層を有する情報記録媒体の製造方法であって、
情報記録媒体に隠蔽情報を記録する隠蔽情報記録工程と、
脆性材料又は延性材料からなり、前記情報記録媒体との剥離力より弱い力で破断又は塑性変形する強度を有する透明又は半透明のフィルムの所定領域上に、下地の隠蔽性を有するスクラッチ可能なスクラッチ層を形成するスクラッチ層形成工程と、
前記情報記録媒体上に、前記スクラッチ層が前記隠蔽情報を覆うように前記フィルムを接着する接着工程と
を含むことを特徴とするスクラッチ層を有する情報記録媒体の製造方法。
【発明の詳細な説明】
【０００１】
【産業上の利用分野】
この発明は、下地の隠蔽性を有するとともにスクラッチ（削り取り）可能なスクラッチ層を有するフィルムを利用して、情報記録媒体に記録された隠蔽情報をスクラッチ層により隠蔽したスクラッチ層を有する情報記録媒体とその製造方法に関するものである。
【０００２】
【従来の技術】
従来より、くじ，抽選券等の隠蔽情報（「当たり」，「はずれ」等）の上部に爪や硬貨等で擦ることにより削り落とせる、すなわちスクラッチが可能な印刷層を設けたものが知られている（実公平２−３８９７号公報，特開平２−２９７４８２号公報等）。
図９は、従来のこの種のスクラッチ層を有する媒体１０（以下、単に「媒体１０」という。）の一例の構成を示す平面図及び断面図である。紙，カード等からなる基材１１上には、文字，絵柄等の共通情報１２と、「１等」，「２等」のような隠蔽情報１３が印刷又はプリンターにより印字されている。そして、この隠蔽情報１３上には、コーティング等で設けられた隠蔽情報１３を保護するためのスクラッチ保護層１４を介して、スクラッチ可能なスクラッチ印刷層１５が設けられ、隠蔽情報１３を目視不能に覆っている。
スクラッチ印刷層１５は、こすること等により除去可能であり、スクラッチ印刷層１５が削り取られること等によって、隠蔽情報１３が見えるようになる。
【０００３】
【発明が解決しようとする課題】
しかし、前述の従来の媒体１０では、スクラッチ印刷層１５の形成は、特殊な印刷装置を使用しなければならず、一般には専門の印刷業者がその印刷装置を所有し、印刷，加工処理を行っている。
従って、くじ，抽選券等の発行業者は、隠蔽情報１３を記録した媒体をその専門の印刷業者に渡し、スクラッチ印刷層１５の形成を委託する必要がある。しかし、隠蔽情報１３は秘匿性を有するので、発行業者は、隠蔽情報１３を記録したものを外部の印刷業者に委託することを嫌う場合が多い。これらのことから、くじ，抽選券等の発行業者は、その印刷装置を購入しなければ、くじ，抽選券等にスクラッチ印刷層１５を利用することが困難であるという問題がある。
【０００４】
本発明は、上述のような課題を解消するためになされたものであって、スクラッチ印刷層を形成する専用の印刷装置がなくても隠蔽情報上にスクラッチ印刷層を形成することができるようにすることを目的とする。
【０００６】
【課題を解決するための手段】
請求項１の発明は、隠蔽情報を記録した情報記録媒体と、前記情報記録媒体上の少なくとも前記隠蔽情報を覆うように接着され、前記隠蔽情報上の領域が透明又は半透明のフィルムと、前記フィルム上の少なくとも前記隠蔽情報を覆う領域に設けられ、下地の隠蔽性を有するとともにスクラッチ可能なスクラッチ層とを備え、前記フィルムは、脆性材料又は延性材料からなり、前記情報記録媒体との剥離力より弱い力で破断又は塑性変形する強度を有すること、ることを特徴とするスクラッチ層を有する情報記録媒体である。
請求項２の発明は、隠蔽情報を記録した情報記録媒体と、下地の隠蔽性を有するともにスクラッチ可能なスクラッチ層が透明又は半透明の領域上に設けられたフィルムとを備え、前記スクラッチ層が前記隠蔽情報を覆うように前記フィルムが前記情報記録媒体上に接着されていること、前記フィルムは、脆性材料又は延性材料からなり、前記情報記録媒体との剥離力より弱い力で破断又は塑性変形する強度を有すること、を特徴とするスクラッチ層を有する情報記録媒体である。
請求項３の発明は、請求項１又は請求項２に記載のスクラッチ層を有する情報記録媒体において、前記情報記録媒体の前記フィルムの接着面と反対側の面には、そのスクラッチ層を有する情報記録媒体に関する属性情報が記録される磁性層が設けられていることを特徴とするスクラッチ層を有する情報記録媒体である。
【０００７】
請求項４の発明は、情報記録媒体に記録された隠蔽情報を、スクラッチ可能なスクラッチ層により隠蔽したスクラッチ層を有する情報記録媒体の製造方法であって、情報記録媒体に隠蔽情報を記録する隠蔽情報記録工程と、脆性材料又は延性材料からなり、前記情報記録媒体との剥離力より弱い力で破断又は塑性変形する強度を有する透明又は半透明のフィルムの所定領域上に、下地の隠蔽性を有するスクラッチ可能なスクラッチ層を形成するスクラッチ層形成工程と、前記情報記録媒体上に、前記スクラッチ層が前記隠蔽情報を覆うように前記フィルムを接着する接着工程とを含むことを特徴とするスクラッチ層を有する情報記録媒体の製造方法である。
【０００８】
【作用】
本発明においては、スクラッチ層を有するフィルムは、隠蔽情報を記録した情報記録媒体上に接着され、スクラッチ層により隠蔽情報が隠蔽される。従って、情報記録媒体上に直接スクラッチ層を設けなくても、情報記録媒体上の隠蔽情報をスクラッチ層により隠蔽することが可能となる。また、スクラッチ層を有するフィルムは、情報記録媒体上に記録された隠蔽情報を一時的に隠蔽するのに使用される。従って、専用の印刷装置等で情報記録媒体の隠蔽情報上に直接スクラッチ層を設けない方法であるので、隠蔽情報の秘匿性を保ちつつ隠蔽情報上にスクラッチ層を設けることができる。
【０００９】
ここで、隠蔽情報が記録された情報記録媒体と、スクラッチ層が設けられたフィルムとが別々に形成され、隠蔽情報がスクラッチ層に覆われるように、情報記録媒体上にフィルムが接着される。従って、専用の印刷装置等で情報記録媒体の隠蔽情報上に直接スクラッチ層を設けないので、情報記録媒体の隠蔽情報の秘匿性を保つことができる。そして、情報記録媒体上の接着されたフィルムを剥離しようとすると、フィルムが剥離される前にフィルムが破断又は塑性変形する。従って、フィルムを情報記録媒体からきれいに剥離することができないので、隠蔽情報の秘匿性を高め、また、隠蔽情報の改ざん等を防止することができる。
また、情報記録媒体の磁性層にその情報記録媒体に関する属性情報が記録される。従って、この磁性層に記録された属性情報により、情報記録媒体を機械的に処理することが可能となる。
【００１０】
一方、情報記録媒体の発行元は、スクラッチ層形成工程を外部に委託するとともに、隠蔽情報記録工程及び接着工程を行うことで、隠蔽情報を記録したものを外部に渡す必要がなくなる。従って、隠蔽情報の秘匿性を保ちつつ、スクラッチ層を設けることができる。
【００１１】
【実施例】
以下、図面等を参照して、本発明の一実施例について説明する。図１は、本発明によるスクラッチ層を有する情報記録媒体の第１の実施例であるくじ２０の構成を示す表面図及び側断面図である。基材２１は、紙材（連続状体，又はシート状体）から形成されたものである。基材２１上には、文字や絵柄等の共通情報２３ａと、「１等」，「２等」のような隠蔽情報２３ｂとが記録されている。これらの情報２３ａ，２３ｂは、手書き、印刷又はプリンター等に印字により印字されている。ここでの印字方式としては、ＮＩＰ，ドットインパクト，サーマル，サーマル転写等、いずれの方式であっても良い。
【００１２】
さらに、隠蔽情報２３ｂを含む領域には、透明又は半透明のフィルム２４が接着剤２５により接着されている。フィルム２４は、脆性材料又は延性材料から形成されたものである。また、接着剤２５は、透明又は半透明であって強接着型の（剥離不能な）ものである。接着剤２５には、圧着型や熱融着型のもの等が使用しうる。
フィルム２４上の隠蔽情報２３ｂが設けられた領域を覆う領域には、スクラッチ印刷層２６が設けられている。スクラッチ印刷層２６は、下地（隠蔽情報２３ｂ）の隠蔽性（不透明性）を有するとともに、爪や硬貨等で擦ることにより削り取られる（スクラッチ可能な）印刷層である。スクラッチ印刷層２６がスクラッチされると、隠蔽情報２３ｂが外部から目視可能となる。
【００１３】
スクラッチ印刷層２６を形成するインキは、ゴム系天然樹脂（天然ゴム，塩酸ゴム等）、ジエン系樹脂（ポリブタジエン，スチレン・ブタジエン共重合体，アクリロニトリル・ブタジエン共重合体，ポリイソプレン，ポリクロロプレン等）や、アクリル系樹脂、ビニル系樹脂をビヒクル（顔料を印刷面に転移，固着させるための成分）としたものである。さらに、スクラッチ印刷層２６は、下地の隠蔽性を得るために、色料としての金属系微粉末（アルミニウム微粉末，黄銅微粉末，銅微粉末等）やそれらの酸化微粉末等を４０〜６０重量％含有している。また、スクラッチ印刷層２６の下地の隠蔽性を向上させるために、硫酸バリウム，炭酸カルシウム等を１〜２重量％含有させても良い。スクラッチ印刷層２６を以上の組成物から形成することにより、印刷適性とスクラッチ性との双方を満足することができるようになる。
【００１４】
次に、くじ２０の製造方法について説明する。
図２に示すように、基材２１の表面側の所定領域に、共通情報２３ａ、及び隠蔽情報２３ｂを印字等によって記録する（隠蔽情報記録工程）。隠蔽情報２３ｂは、予め設定された隠蔽予定領域内（図中、破線領域内）に記録する。
一方、図３に示すように、フィルム２４は、所定の大きさに形成され、連続する剥離部材２７上に順次貼付されている。フィルム２４の剥離部材２７側には接着剤２５が設けられ、この接着剤２５と剥離部材２７の基材２７ａ上に設けられた剥離層２７ｂとが剥離可能に粘着されている。ここで、接着剤２５が熱融着型のものである場合には、剥離部材２７は不要である。また、フィルム２４の所定領域に、上述のスクラッチ印刷層２６が設けられる（スクラッチ印刷層形成工程）。スクラッチ印刷層２６は、隠蔽情報２３ｂと対応するように、３箇所に形成される。スクラッチ印刷層２６は、一般にはシルクスクリーン印刷により印刷される。このフィルム２４は、剥離部材２７上から剥離され、図２の基材２１上に接着される（接着工程）。ここで、接着は、手作業によるものでも、専用の貼付機（ラベラー）を用いたものであっても良い。フィルム２４は、各スクラッチ印刷層２６がそれぞれ隠蔽情報２３ｂを覆うように接着される。従って、隠蔽情報２３ｂが外部から目視不能となる。これにより、図１に示したくじ２０が完成する。
【００１５】
このように、基材２１上に直接スクラッチ印刷層２６を形成しないので、くじ２０の発行業者は、基材２１に隠蔽情報２３ｂを記録した媒体を製造し、専用の印刷業者が製造したフィルム２４上にスクラッチ印刷層２６を設けたものを購入して、これを基材２１上に接着すれば良い。従って、隠蔽情報２３ｂを記録した基材２１を外部の業者に渡す必要がないので、隠蔽情報２３ｂの秘匿性を保持しつつ、スクラッチ印刷層２６を設けることができる。
【００１６】
くじ２０は、スクラッチ印刷層２６を擦る等して削り取れば、この下側にある隠蔽情報２３ｂを見ることができるようになる。ここで、フィルム２４を基材２１上からきれいに剥離できれば、スクラッチ印刷層２６を削り取らなくても隠蔽情報２３ｂを見ることができ、改ざん等することが可能となる。しかし、フィルム２４は、脆性材料又は延性材料から形成されており、フィルム２４の基材２１からの剥離力より弱い力で破断又は塑性変形する。すなわち、基材２１からフィルム２４を剥離すると、フィルム２４が剥離される前に、フィルム２４が切れたり伸びたりする。従って、フィルム２４を基材２１からきれいに剥離することはできず、実質的にはスクラッチ印刷層２６を削り取らなければ隠蔽情報２３ｂを見ることはできない。また、接着剤２５が強接着型のものであれば、基材２１からフィルム２４を剥離すると、フィルム２４と基材２１間では剥離されず、基材２１の用紙繊維層間で破れるので、上述と同様の効果が得られる。
【００１７】
図４は、本発明によるスクラッチ層を有する情報記録媒体の第２の実施例であるカード３０の構成を示す表面図，裏面図、及び側断面図である。第２の実施例において、第１の実施例と同様のものには同一符号を付し、重複する説明は省略する。
カード基材３１は、硬質塩化ビニルやＰＥＴ等のプラスチック基材ないしは紙材の単層又は積層体で構成され、例えば縦５４ｍｍ×横８６ｍｍ程度の大きさを有する。カード基材３１の裏面側には、所定の情報を磁気情報として記録した磁性層３２が設けられている。
カード基材３１の表面側には、隠蔽情報３３が第１の実施例と同様の方式で記録されている。さらに、この隠蔽情報３３を含むカード基材３１の表面側の略全領域には、フィルム２４が接着剤２５により接着されている。
さらに、このフィルム２４上の隠蔽情報３３が設けられた領域を覆う領域には、スクラッチ印刷層２６が設けられている。
【００１８】
次に、カード３０の製造方法について、図５〜図７に基づき説明する。図５に示すように、カード基材３１の裏面側には磁気テープの転写等により磁性層３２が形成されている。先ず、図６に示すように、カード基材３１の表面側の所定領域（破線領域内）に、隠蔽情報３３を記録する。隠蔽情報３３は、例えばくじの当たりやはずれ、プリペイドカードの金額等、それぞれの用途に応じて適宜選択される。そして、必要となる情報、例えばカード３０の受取人に関する情報や、隠蔽情報３３に関する情報等を、磁性層３２にエンコードする。
【００１９】
一方、図７に示すように、フィルム２４は、第１の実施例と同様に剥離部材２７上に順次貼付されている。そして、フィルム２４の所定領域に、スクラッチ印刷層２６が設けられる。スクラッチ印刷層２６は、隠蔽情報３３と対応するように、２箇所設けられる。このフィルム２４は、剥離部材２７上から剥離され、図６のカード基材３１上に、スクラッチ印刷層２６が隠蔽情報３３を覆うように接着される。これにより、図４に示したカード３０が完成する。
【００２０】
このようなカード３０の形成方法においては、一般的なカード発行装置を利用して、インラインでカード３０を製造することができる。
図８は、カード３０の使用方法の一実施例を示す平面図である。カード３０は、連続帳票からなる所定の台紙４０に取り付けられている。台紙４０には、カード３０の使用上の注意書きや、磁性層３２にエンコードされた情報４１等が出力される。例えば台紙４０にこのカード３０の受取人の宛名を印字すれば、この宛名が外部から見えるように窓付き封筒に封入して、受取人に発送することが可能となる。
【００２１】
以上、本発明の一実施例について説明したが、本発明は、上述した実施例に限定されることなく、その要旨を逸脱しない範囲内で種々の変形が可能である。例えば、フィルム２４に切り込みを入れておけば、基材２１，カード基材３１から剥離したときに、フィルム２４がその切り込みの位置から確実に裂けるようになり、隠蔽情報２３ｂ，３３の盗視や改ざん等をより確実に防止することができる。同様に、接着剤２５の接着強度を部分的に変えれば、フィルム２４を剥離したときに、フィルム２４の一部が基材２１，カード基材３１上に残るようにすることができる。
【００２２】
フィルム２４は、少なくとも隠蔽情報２３ｂ，３３の上部に位置する領域が透明又は半透明であれば良く、全てが透明又は半透明でなくても良い。また、フィルム２４は、基材２１，カード基材３１の略全面を覆う必要はなく、少なくとも隠蔽情報２３ｂ，３３の上部を覆う大きさであれば良い。
磁性層３２は、実施例のような磁気テープに限らず、カード基材３１の略全面に形成されたものでも良い。なお、磁性層３２は、カード３０に必ずしも設ける必要はないが、磁性層３２を設ければ、カードリーダー装置により磁性層３２の情報を読み取り、例えばカード３０の顧客管理等を機械的に行うことができるようになる。なお、カード３０にＩＣ記録部や光記録部を設けて情報を記録しておくことも可能である。また、くじ２０に第２の実施例のような磁性層３２を設けて、この磁性層３２にくじ２０の属性情報を記録しておけば、くじ２０の集計を機械的に行うことができるようになる。
くじ２０は、スピードくじや雑誌の懸賞等に適用することができる。一方、カード３０は、キャッシュカード，クレジットカード，会員証，テレホンカードのようなプリペイドカード等に適用することができる。
【００２３】
【発明の効果】
本発明によれば、以下のような効果がある。
（１）情報記録媒体上に直接スクラッチ層を設けなくても、情報記録媒体上の隠蔽情報をスクラッチ層により隠蔽することができる。
（２）専用の印刷装置等で情報記録媒体の隠蔽情報上に直接スクラッチ層を設けない方法であるので、隠蔽情報の秘匿性を保ちつつ隠蔽情報上にスクラッチ層を設けることができる。
（３）情報記録媒体とフィルムとを別々に形成することができ、情報記録媒体の隠蔽情報の秘匿性を保つことができる。
（４）フィルムを情報記録媒体からきれいに剥離することができないので、隠蔽情報の秘匿性を高め、また、隠蔽情報の改ざん等を防止することができる。
（５）磁性層に記録された属性情報により、情報記録媒体を機械的に処理することができる。請求項７の発明によれば、スクラッチ層を有する情報記録媒体の発行元は、スクラッチ層を形成する専用の印刷装置等がなくても、隠蔽情報の秘匿性を保ちつつ、スクラッチ層を設けた情報記録媒体を製造することができる。
【図面の簡単な説明】
【図１】本発明の第１の実施例であるくじ２０の構成を示す図である。
【図２】図１の基材２１を示す図である。
【図３】図１のフィルム２４を示す図である。
【図４】本発明の第２の実施例であるカード３０を示す図である。
【図５】図４のカード基材３１と磁性層３２を示す図である。
【図６】図４の隠蔽情報３３が記録されたカード基材３１を示す図である。
【図７】図４のスクラッチ印刷層２６が設けられたフィルム２４を示す図である。
【図８】図４のカード３０が取り付けられた台紙４０を示す図である。
【図９】従来のスクラッチ層を有する媒体１０の一例の構成を示す図である。
【符号の説明】
２０  くじ
２１  基材
２３ａ  共通情報
２３ｂ  隠蔽情報
２４  フィルム
２５  接着剤
２６  スクラッチ印刷層
２７  剥離部材
３０  カード
３１  カード基材
３２  磁性層
３３  隠蔽情報
【図１】
0003729422.tif 000002
【図２】
0003729422.tif 000003
【図３】
0003729422.tif 000004
【図４】
0003729422.tif 000005
【図５】
0003729422.tif 000006
【図６】
0003729422.tif 000007
【図７】
0003729422.tif 000008
【図８】
0003729422.tif 000009
【図９】
0003729422.tif 000010